(57)【要約】【課題】  隣接する親杭のフランジ間にわたって簡単に土留め用横矢板を設置することができる親杭および親杭横矢板工法を提供することである。【解決手段】  親杭１は、Ｈ形鋼２の一方のフランジ３の裏面に裏込め用横矢板４を縦側にして設置し、この裏込め用横矢板４をクリップ５でフランジ３に挟み付けて固定し、Ｈ形鋼２の下部は裏込め用横矢板４を設置せずに挿入部７としたことである。【選択図】  図１
2009197397.tif 000002
【特許請求の範囲】
【請求項１】
Ｈ形鋼の一方のフランジの裏面に裏込め用横矢板を縦方向にして設置し、この裏込め用横矢板をクリップでフランジに挟み付けて固定し、Ｈ形鋼の下部は裏込め用横矢板を設置せずに挿入部としたことを特徴とする親杭。
【請求項２】
裏込め用横矢板の厚さは親杭横矢板壁に使用する土留め用横矢板よりも厚いことを特徴とする請求項１に記載の親杭。
【請求項３】
請求項１または２の親杭の挿入部を、地盤に適宜間隔をもって掘削した掘削孔の根固め材に挿入して、掘削孔に掘削土の埋め戻しを行った後、上記根固め材の上面まで根切りしてフランジの表面を露出させ、該フランジの裏面から裏込め用横矢板を取り外してフランジの裏面側に空隙部を形成し、該空隙部を利用して隣接する親杭間にわたって、フランジの裏面から取り外した裏込め用横矢板と土留め用横矢板とを設置することを特徴とする親杭横矢板工法。
【発明の詳細な説明】
【技術分野】
【０００１】
本願発明は親杭および親杭横矢板工法に関するものである。
【背景技術】
【０００２】
親杭横矢板工法は最も経済的な工法として、地盤の掘削後横矢板を設置するまでの間に掘削面（地山）が崩壊されないところで多用され、図６〜図８に示す工程で行われている。まず、図６に示すように、適宜間隔ごとに掘削された掘削孔１７にＨ形鋼１８の親杭１９を挿入して、その下部を根固め材２０に挿入する。次に、図７に示すように、親杭１９が挿入された掘削孔１７に、掘削土またはセメントミルクなどの埋戻材２１を埋め戻す。次に、図８に示すように、根切りを行って親杭１９のフランジ２２を露出させ、隣接する親杭１９のフランジ２２間にわたって土留め用横矢板２３を設置して地山４３の土留めを行うものである。また、その他の親杭横矢板工法としては、例えば特開２００６−１０４７８２号公報の発明が知られている。
【特許文献１】特開２００６−１０４７８２号公報
【発明の開示】
【発明が解決しようとする課題】
【０００３】
しかし、上記のような親杭横矢板工法は掘削土をそのまま埋め戻し材として使用しているため、親杭裏側の地山を掘削するときに崩れるという問題があった。一方、埋め戻し材としてセメントミルクなどを使用すると親杭裏の地山を掘削するときに手間を要するという問題があった。
【０００４】
本願発明はこれらの問題に鑑みてなされたものであり、その目的は、隣接する親杭のフランジ間にわたって簡単に土留め用横矢板を設置することができる親杭および親杭横矢板工法を提供することである。
【課題を解決するための手段】
【０００５】
以上の課題を解決するための親杭は、Ｈ形鋼の一方のフランジの裏面に裏込め用横矢板を縦方向にして設置し、この裏込め用横矢板をクリップでフランジに挟み付けて固定し、Ｈ形鋼の下部は裏込め用横矢板を設置せずに挿入部としたことを特徴とし、裏込め用横矢板の厚さは親杭横矢板壁に使用する土留め用横矢板よりも厚いことを含むものである。
親杭横矢板工法は、Ｈ形鋼の一方のフランジの裏面に裏込め用横矢板を縦方向にして設置し、この裏込め用横矢板をクリップでフランジに挟み付けて固定し、Ｈ形鋼の下部は裏込め用横矢板を設置せずに挿入部とした親杭を形成し、該親杭の挿入部を、地盤に適宜間隔をもって掘削した掘削孔の根固め材に挿入して、掘削孔に掘削土の埋め戻しを行った後、上記根固め材の上面まで根切りしてフランジの表面を露出させ、該フランジの裏面から裏込め用横矢板を取り外してフランジの裏面側に空隙部を形成し、該空隙部を利用して隣接する親杭間にわたって、フランジの裏面から取り外した裏込め用横矢板と土留め用横矢板とを設置することを特徴とし、裏込め用横矢板の厚さは親杭横矢板壁に使用する土留め用横矢板よりも厚いことを含むものである。
【発明の効果】
【０００６】
親杭のフランジの裏面から裏込め用横矢板を取り外すことにより、フランジの裏面側に横矢板設置用の空隙部を形成することができる。また親杭のフランジの裏面に裏込め用横矢板をクリップで簡単に取り付けることができる。また親杭のフランジの裏面における裏込め用横矢板を地山の土留め用として利用することができる。また親杭のフランジの裏面側の地山の削り取り作業を省略できるので作業の効率化を図ることができる。
【発明を実施するための最良の形態】
【０００７】
以下、本願発明の親杭および親杭横矢板工法の実施の形態について説明する。はじめに親杭について説明し、次に、この親杭を使用した親杭横矢板工法の実施の形態について説明するが、各実施の形態において同じ構成は同じ符号を付して説明し、異なった構成にのみ異なった符号を付して説明する。
【０００８】
図１は親杭1であり、Ｈ形鋼２の一方のフランジ３、例えば前面側に位置するフランジ３の裏面に裏込め用横矢板４がクリップ５で固定されて構成されている。
【０００９】
この裏込め用横矢板４は幅および長さが土留め用横矢板と同じであるが、土留め用横矢板の差し込み用の間隙部を形成するために、厚さが土留め用横矢板よりも厚くなっている。なお、この厚さは、土留め用横矢板と同じであってもよく、同じでも土留め用横矢板を差し込む間隙部は形成できる。
【００１０】
また裏込め用横矢板４の長さは、地盤に打設された親杭間（フランジ間）の長さによって決定され、この長さが短い場合は二枚以上が上下に連続して設置され、これが長い場合は一枚のみが設置される。
【００１１】
この裏込め用横矢板４は縦方向で二枚連続して、ウエブ６両側のフランジ３の裏面に設置され、この裏込め用横矢板４とフランジ３とを挟み付けるようにして、一枚につき３個（これ以上またはこれ以下であっても良い）の平面コ字形のクリップ５がフランジ３の外側から嵌め込まれている。したがって、このクリップ５によって裏込め用横矢板４が片方のフランジ（ウエブの片方側）３の裏面に二枚固定され、クリップを取り外すと裏込め用横矢板４がフランジ３の裏面から取り外せるようになっている。
【００１２】
またＨ形鋼２の下部のフランジ３には裏込め用横矢板４を設置せずに、ここを根固め用ソイルセメントの挿入部７としている。そのため挿入部７の長さが、裏込め用横矢板４の設置長さにより決定される。
【００１３】
次に、この親杭１を使用した親杭横矢板工法を図２〜図５に基づいて説明する。はじめに、図２に示すように、地盤８に掘削孔９を適宜間隔ごとに掘削し、その底部に根固め用ソイルセメント１０を打設する。そして、この根固め用ソイルセメント１０が硬化する前に、ここに挿入部７を挿入して親杭１を掘削孔９内に建て込む。この挿入の深さはフランジ３の裏面に設置された裏込め用横矢板４を基準とし、該裏込め用横矢板４の下端が根固め用ソイルセメント１０の上面に接するまで挿入する。
【００１４】
次に、図３に示すように、親杭１を建て込んだ掘削孔９に、流動化土にした掘削土１１をハイワッシャーで攪拌しながら埋め戻す。このような流動化土は親杭１の隅々まで充実に充填され、空隙を作ることがない。この埋め戻した掘削土１１は一〜三週間で十分に固化する。
【００１５】
次に、図４に示すように、根切りを行って、根固め用ソイルセメント１０の上面まで掘削し、親杭１の一方のフランジ（前面側）３を露出させるように地山１２を削り取る。この削り取りはフランジ３のやや奥側、すなわち裏込め用横矢板４をフランジから取り外せるように、裏込め用横矢板４の厚さ分まで行う。
【００１６】
次に、クリップ５を取り外して裏込め用横矢板４をフランジ３から引き抜くと、フランジ３の裏面側に裏込め用横矢板４の厚さ分の幅の差し込み用の間隙部１３が形成される。そして、フランジ３の裏面の裏込め用横矢板４を全て引き抜くと、フランジ３の上端から根固め用ソイルセッメント１０の上面にかけての裏面側に横矢板設置用の間隙部１３が形成される。
【００１７】
次に、この横矢板設置用の間隙部１３を利用して、隣接する親杭１のフランジ間にわたって土留め用横矢板１４と、フランジ３の裏面から引き抜いた裏込め用横矢板４とを設置すると親杭横矢板壁１５が形成され、これにより地山１２の土留めができる。この差し込み用の間隙部１３は裏込め用横矢板４の厚さ分の幅があるため、裏込め用横矢板４はもとより、これより薄い土留め用横矢板１４も容易に差し込むことができる。
【００１８】
このようにして、全ての親杭１間に裏込め用横矢板４と、土留め用横矢板１４とを設置して親杭横矢板壁１５を形成することにより、地山１２の土留めをすることができる。
【００１９】
なお、上記の実施の形態においては根固め用ソイルセメント１０を使用したが、これに限定されるものではなく、根固め用コンクリートを使用することもできる。
【図面の簡単な説明】
【００２０】
【図１】親杭であり、（１）は平面図、（２）は正面図、（３）は（１）のＡ−Ａ断面図である。
【図２】（１）は掘削孔に親杭を建て込んだ横方向の断面図、（２）は同縦方向の断面図である。
【図３】（１）は埋め戻しをした掘削孔の横方向の断面図、（２）は同縦方向の断面図である。
【図４】（１）は根切りをした断面図、（２）は同縦方向の断面図、（３）は要部の断面図である。
【図５】（１）は親杭横矢板壁の横方向の断面図、（２）は同縦方向の断面図である。
【図６】従来の親杭横矢板工法であり、（１）は親杭を建て込んだ掘削孔の横方向の断面図、（２）は同縦方向の断面図である。
【図７】従来の親杭横矢板工法であり、（１）は埋め戻しをした掘削孔の横方向の断面図、（２）は同縦方向の断面図である。
【図８】従来の親杭横矢板工法であり、（１）は根切りをした断面図、（２）は同縦方向の断面図、（３）は要部の断面図である。
【符号の説明】
【００２１】
１、１９  親杭
２、１８  Ｈ形鋼
３、２２  フランジ
４  裏込め用横矢板
５  クリップ
６  ウエブ
７  挿入部
８  地盤
９、１７  掘削孔
１０  根固め用ソイルセメント
１１  掘削土
１２、２４  地山
１３  間隙部
１４、２３  土留め用横矢板
１５  親杭横矢板壁
２０  根固め材
２１  埋め込み材
【図１】
2009197397.tif 000003
【図２】
2009197397.tif 000004
【図３】
2009197397.tif 000005
【図４】
2009197397.tif 000006
【図５】
2009197397.tif 000007
【図６】
2009197397.tif 000008
【図７】
2009197397.tif 000009
【図８】
2009197397.tif 000010